(57)【要約】【課題】簡易な構成で複数の光ビームの間隔を調整できる技術を提供する。【解決手段】互いに平行な光ビームＬＧ１、ＬＧ２をそれぞれ、透光性の材料で構成されたビーム間隔調整素子１５の第１と第２の入射平面１８ａ、１８ｄへと入射させる。屈折した第１と第２の光ビームは、ビーム間隔調整素子１５の内部で交差する。その後、第１の光ビームＬＧ１は再び屈折して第１の射出平面１８ｃから射出される。第２の光ビームＬＧ２も同様に、再び屈折して第２の射出平面１８ｄから射出される。第１と第２の光ビームの入射位置とビーム間隔調整素子１５の屈折率に応じて、射出された第１と第２の光ビームＬＧ１ａ、ＬＧ２ａのビーム間隔が調整される。【選択図】図３
2008261899.tif 000002
【特許請求の範囲】
【請求項１】
光を射出する光源装置であって、
第１と第２の光ビームを含む複数の光ビームを互いに平行に射出する光源ユニットと、
透光性材料で形成された光学素子であって、前記第１と第２の光ビームの間隔を調整するビーム間隔調整素子と、
を備え、
前記ビーム間隔調整素子は、
前記第１の光ビームが入射する第１の入射平面と、
前記第１の入射平面と平行な平面であって、前記第１の光ビームが射出される第１の射出平面と、
前記第２の光ビームが入射する第２の入射平面と、
前記第２の入射平面と平行な平面であって、前記第２の光ビームが射出される第２の射出平面と、
を備え、
前記第１の光ビームと前記第２の光ビームとが、前記ビーム間隔調整素子の内部で交差するように構成されていることを特徴とする光源装置。
【請求項２】
請求項１に記載の光源装置であって、
前記ビーム間隔調整素子から射出された後の前記第１と第２の光ビームの間隔が、前記ビーム間隔調整素子に入射する前の前記第１と第２の光ビームの間隔より小さい、光源装置。
【請求項３】
請求項１に記載の光源装置であって、
前記ビーム間隔調整素子から射出された後の前記第１と第２の光ビームの間隔が、前記ビーム間隔調整素子に入射する前の前記第１と第２の光ビームの間隔より大きい、光源装置。
【請求項４】
請求項１ないし請求項３のいずれかに記載の光源装置であって、
前記ビーム間隔調整素子は、前記第１又は第２の光ビームの光路が存在する平面における断面形状が、平行四辺形、又は、平行四辺形から前記第１と第２の光ビームの光路を含まない領域の一部分が削除された形状である、光源装置。
【請求項５】
画像表示装置であって、
請求項１ないし請求項４のいずれかに記載の光源装置と、
入射される光を受ける光入射面を有し、前記光入射面に入射された光を画像信号に応じて変調して画像光を生成する光変調部と、
前記光源装置から射出される各光ビームを、前記光変調部の前記光入射面を含む照明領域を照明する照明光に変換する照明光変換光学素子と、
前記光変調部により変調された画像光を投写する投写光学系と、
を備える、画像表示装置。
【請求項６】
モニタ装置であって、
請求項１ないし請求項４のいずれかに記載の光源装置と、
被写体を撮像する撮像部と、
前記光源装置から射出される各光ビームを前記被写体を照射する照明光に変換する照明光変換光学素子と、
を備える、モニタ装置。
【請求項７】
照明装置であって、
請求項１ないし請求項４のいずれかに記載の光源装置と、
前記光源装置から射出される各光ビームを拡散して照明光に変換する照明光変換光学素子と、
を備える、照明装置。
【発明の詳細な説明】
【技術分野】
【０００１】
この発明は、光ビームを射出する光源ユニットを用いた光源装置、及び、その光源装置を備える各種の装置に関する。
【背景技術】
【０００２】
光源装置として、複数のレーザビームを射出するレーザアレイ光源ユニットが用いられる場合がある。また、複数のレーザビームのレーザビーム同士の間隔を調整する方法として、複数の光学レンズを組み合わせて調整する方法が提案されている（特許文献１等）。
【０００３】
【特許文献１】特開２００４−８６０１９
【特許文献２】特開平９−２１９７２
【特許文献３】特開平５−１３２９７
【０００４】
しかし、上記方法にように複数の光学レンズを組み合わせて用いる場合には、光学レンズごとの特性の精度を高くするとともに、その組み付けの精度を高くすることが要求される。従って、例えば、ビーム間隔を１ｍｍ以下にするような微小な調整を必要とする場合などには、十分な精度を得ることが困難であった。また、複数の光学レンズを用いるため当該レーザ光源装置が大型化する可能性もあった。なお、このような問題は、複数のレーザビームを用いる場合に限らず、一般に複数の光ビームを用いる場合に共通する問題であった。
【発明の開示】
【発明が解決しようとする課題】
【０００５】
本発明は、簡易な構成で複数の光ビームの間隔を調整できる技術を提供することを目的とする。
【課題を解決するための手段】
【０００６】
本発明の一形態による装置は、第１と第２の光ビームを含む複数の光ビームを互いに平行に射出する光源ユニットと、透光性材料で形成された光学素子であって、前記第１と第２の光ビームの間隔を調整するビーム間隔調整素子とを備え、前記ビーム間隔調整素子は、前記第１の光ビームが入射する第１の入射平面と、前記第１の入射平面と平行な平面であって、前記第１の光ビームが射出される第１の射出平面と、前記第２の光ビームが入射する第２の入射平面と、前記第２の入射平面と平行な平面であって、前記第２の光ビームが射出される第２の射出平面とを備え、前記第１の光ビームと前記第２の光ビームとが、前記ビーム間隔調整素子の内部で交差するように構成されていることを特徴とする。
【０００７】
この構成によれば、光源ユニットから射出された互いに平行な第１と第２の光ビームは、ビーム間隔調整素子を透過する際に２度の屈折をして進路がオフセットされるとともに、当該素子の内部で互いに交差する。すると、ビーム間隔調整素子によって、第１と第２の光ビームの間隔を変化させることができる。
【０００８】
前記ビーム間隔調整素子から射出された後の前記第１と第２の光ビームの間隔が、前記ビーム間隔調整素子に入射する前の前記第１と第２の光ビームの間隔より小さいものとしても良い。
【０００９】
前記ビーム間隔調整素子から射出された後の前記第１と第２の光ビームの間隔が、前記ビーム間隔調整素子に入射する前の前記第１と第２の光ビームの間隔より大きいものとしても良い。
【００１０】
前記ビーム間隔調整素子は、前記第１又は第２の光ビームの光路が存在する平面における断面形状が、平行四辺形、又は、平行四辺形から前記第１と第２の光ビームの光路を含まない領域の一部分が削除された形状であるものとしても良い。
【００１１】
この構成によれば、ビーム間隔素子を単体の立体形状として構成することができる。
【００１２】
なお、本発明は、種々の形態で実現することが可能であり、例えば、光源装置、その光源装置を備えた照明装置や画像表示装置、モニタ装置等の形態で実現することができる。
【発明を実施するための最良の形態】
【００１３】
次に、本発明の実施の形態を実施例に基づいて以下の順序で説明する。
Ａ．第１実施例：
Ｂ．第２実施例：
Ｃ．第３実施例：
Ｄ．変形例：
【００１４】
Ａ．第１実施例：
図１は本発明の第１実施例としての投写型表示装置の構成を示す概略図である。この投写型表示装置１００は、画像信号に応じて変調された画像光を投写スクリーン１１０に投写してカラー画像を表示することができる。なお、図１は、紙面の上方向をｙ軸とし、紙面の左方向をｘ軸とし、紙面に対して垂直上方向をｚ軸として示してある。
【００１５】
投写型表示装置１００は、赤、緑、青の３色の色成分光を射出する３つのレーザ光源装置１０Ｒ、１０Ｇ、１０Ｂを備えている。緑色のレーザ光源装置１０Ｇは、積層された２つのレーザアレイ光源ユニット１１Ｇ、１２Ｇと、ビーム間隔調整素子１５とを備えている。２つのレーザアレイ光源ユニット１１Ｇ、１２Ｇはそれぞれ、緑色のレーザビームＬＧ１、ＬＧ２を射出することができる。第１と第２のレーザビームＬＧ１、ＬＧ２は互いに平行なレーザビームである。ビーム間隔調整素子１５は、第１と第２のレーザビームＬＧ１、ＬＧ２が入射すると、そのビームの進行方向は同一のまま、そのビーム間隔が狭く調整された平行なレーザビームＬＧ１ａ、ＬＧ２ａを射出する。
【００１６】
赤色と青色のレーザ光源装置１０Ｒ、１０Ｂも同様にそれぞれが、各色に対応した２つのレーザアレイ光源ユニット１１Ｒ、１２Ｒ、１１Ｂ、１２Ｂと、ビーム間隔調整素子１５とを備えている。赤色の２つのレーザアレイ光源ユニット１１Ｒ、１２Ｒはそれぞれ、赤色の第１と第２のレーザビームＬＲ１、ＬＲ２を射出し、青色の２つのレーザアレイ光源ユニット１１Ｂ、１２Ｂはそれぞれ、青色の第１と第２のレーザビームＬＢ１、ＬＢ２を射出する。また、ビーム間隔調整素子１５は、ビーム間隔が調整された第１と第２のレーザビームＬＲ１ａ、ＬＲ２ａ、ＬＢ１ａ、ＬＢ２ａを射出する。
【００１７】
図２は、緑色の２つのレーザアレイ光源ユニット１１Ｇ、１２Ｇの光射出面を示す概略図であり、図１に示すｘ軸方向に向かって見たときの正面図である。２つのレーザアレイ光源ユニット１１Ｇ、１２Ｇは、それぞれに複数のレーザビーム射出孔１７が等間隔で一列に設けられている。即ち、第１と第２のレーザビームＬＧ１、ＬＧ２はそれぞれ、複数のレーザビームが等間隔に直列に並んだ平行なビーム列である。第１と第２のレーザビームＬＧ１、ＬＧ２は、間隔ＢＤを有して射出される。なお、赤色と緑色の２つのレーザアレイ光源ユニット１１Ｒ、１２Ｒ、１１Ｂ、１２Ｂも同様である。
【００１８】
図３（Ａ）は、ビーム間隔調整素子１５の構成を示す概略斜視図である。ビーム間隔調整素子１５は、その底面１６が正方形である正四角柱形状を有しており、４つの側面１８ａ、１８ｂ、１８ｃ、１８ｄを有している。ビーム間隔調整素子１５は、光学ガラスなどで構成することができる。なお、ビーム間隔調整素子１５は、入射するレーザ光（レーザビーム）の色の波長に応じて屈折率が調整されていることが好ましい。
【００１９】
図３（Ｂ）は、ビーム間隔調整素子１５に入射したレーザ光の経路を示す模式図であり、ビーム間隔調整素子１５の底面１６を正面として図示している。図に示すように、第１のレーザビームＬＧ１は、ビーム間隔調整素子１５の側面１８ａ（「入射平面１８ａ」と呼ぶ）に対して入射する。入射した第１のレーザビームＬＧ１は屈折して、入射側面１８ａに対向する側面１８ｃ（「射出平面１８ｃ」と呼ぶ）から第１のレーザビームＬＧ１ａとして射出される。なお、２つの側面１８ａ、１８ｃは互いに平行であるため、入射する第１のレーザビームＬＧ１と射出される第１のレーザビームＬＧ１ａとは進行方向が同一となる。
【００２０】
第２のレーザビームＬＧ２は、第１のレーザビームＬＧ１の入射側面１８ａに隣り合う側面１８ｂ（「入射平面１８ｂ」と呼ぶ）に入射する。入射した第２のレーザビームＬＧ２は屈折して、入射側面１８ｂに対向する側面１８ｄ（「射出平面１８ｄ」と呼ぶ）から第２のレーザビームＬＧ２ａとして射出される。なお、第２のレーザビームＬＲ２は、ビーム間隔調整素子１５内部において第１のレーザビームＬＧ１と交差する。図３（Ｂ）の例では、第１と第２のレーザビームＬＧ１ａ、ＬＧ２ａのビーム間隔はＢＤａとなり、第１と第２のレーザビームＬＧ１、ＬＧ２のビーム間隔ＢＤより狭くなる。
【００２１】
ビーム間隔調整素子１５を透過するレーザビームは、入射平面における入射位置や、ビーム間隔調整素子１５の屈折率に応じて射出平面における射出される位置が変化する。従って、第１と第２のレーザビームＬＧ１、ＬＧ２の入射位置やビーム間隔調整素子１５の屈折率を調整することによって、射出後のビーム間隔を調整することが可能である。なお、他の成分光のレーザビームについても同様である。
【００２２】
図１に示した投写型表示装置１００は、さらに、各色成分光ごとに、拡散素子２０と、凸レンズ３０と、液晶パネル４０Ｒ、４０Ｇ、４０Ｂとを備えている。３つのレーザ光源装置１０Ｒ、１０Ｇ、１０Ｂから射出された第１と第２のレーザビームＬＲ１ａ、ＬＲ２ａ、ＬＧ１ａ、ＬＧ２ａ、ＬＢ１ａ、ＬＢ２ａはそれぞれ各色ごとに拡散素子２０へと入射する。
【００２３】
拡散素子２０は、後述する液晶パネル４０Ｒ、４０Ｇ、４０Ｂに入射する光の照度分布を均一化するための素子である。拡散素子２０としては、レンズアレイや、ホログラム素子などで構成することができる。凸レンズ３０は、拡散素子２０から射出された光を平行光へと変換する。
【００２４】
赤、緑、青の各色の液晶パネル４０Ｒ、４０Ｇ、４０Ｂは、制御部（図示せず）からの画像信号に応じて、対応する各色成分光を変調して、画像を表す画像光を射出する。液晶パネル４０Ｒ、４０Ｇ、４０Ｂには、射出された画像光が所定の直線偏光成分を有する光となるように、入射側及び射出側に偏光板が設けられているものとしても良い。
【００２５】
図４は、各色の液晶パネル４０Ｒ、４０Ｇ、４０Ｂの光の入射面側を示す概略図である。各液晶パネル４０Ｒ、４０Ｇ、４０Ｂは、変調対象となる光が入射される光入射平面４２を有している。光入射平面４２は、それぞれ変調動作を行う複数の画素ＰＸのための入射平面を包含する領域を有しており、通常は、矩形形状を有している。拡散素子２０と凸レンズ３０とは、ビーム間隔調整素子１５から射出された各光ビームを、液晶パネルの光入射平面４２を含む照明領域４４を照明する照明光に変換する機能を有している。なお、照明光は、光入射平面４２を均一に照明することが好ましい。なお、光源装置から射出される各光ビームを液晶パネルの照明領域を照明する照明光に変換する光学系としては、他の構成を採用することも可能である。
【００２６】
投写型表示装置１００は、さらに、クロスダイクロイックプリズム５０と、投写レンズ６０とを備えている。各色の液晶パネル４０Ｒ、４０Ｇ、４０Ｂから射出された各色成分の画像光は、クロスダイクロイックプリズム５０の各側面から入射して、合成されて合成画像光として射出される。クロスダイクロイックプリズム５０から射出された合成画像光は、投写レンズ６０を介して投写スクリーン１１０に投写される。
【００２７】
本実施例の構成によれば、ビーム間隔調整素子１５によって各色の第１と第２のレーザビームＬＲ１ａ、ＬＲ２ａ、ＬＧ１ａ、ＬＧ２ａ、ＬＢ１ａ、ＬＢ２ａのビーム間隔が狭く調整されているため、その間隔に応じて拡散素子２０を小さくすることが可能である。また、ビーム間隔調整素子１５は、上述したように、その屈折率とレーザビームの入射位置によって射出後のビーム間隔を調整することが可能であるため、レーザビームのビーム間隔を容易に高い精度で調整することが可能である。
【００２８】
図５（Ａ）、（Ｂ）は、ビーム間隔調整素子の他の断面形状例を示す概略図であり、図３（Ｂ）と同様にレーザビームの経路が示されている。図５（Ａ）のビーム間隔調整素子１５Ａは、その底面１６Ａが菱形である略四角柱形状をしている点以外は、図３（Ａ）、（Ｂ）で説明したビーム間隔調整素子１５と同じである。図５（Ｂ）のビーム間隔調整素子１５Ｂは、その底面１６Ｂが平行四辺形である略四角柱形状をしている点以外は図３（Ａ）、（Ｂ）で説明したビーム間隔調整素子１５と同じである。これらの構成であっても、入射する平行なレーザビーム間の間隔を調整することができる。また、図５（Ｂ）の構成であれば、第１と第２のレーザビームの中心を、入射前の位置からオフセットさせて射出することができる。
【００２９】
図６（Ａ）、（Ｂ）は、ビーム間隔調整素子のさらに他の断面形状の例を示す概略図である。図６（Ａ）、（Ｂ）に示すビーム間隔調整素子１５Ｂ、１５Ｃは、ビーム間隔調整素子の底面の形状の一部が欠けている点以外は図３（Ａ）、（Ｂ）で説明したビーム間隔調整素子１５と同じである。具体的には、図６（Ａ）のビーム間隔調整素子１５Ｃは、２つの入射平面１８ａ、１８ｂと２つの射出平面１８ｃ、１８ｄの他に、レーザビームの入射側に側面１９ａを有している。従って、このビーム間隔調整素子１５Ｃの底面１６Ｃは、略五角形形状を有している。また、図６（Ｂ）のビーム間隔調整素子１５Ｄは、第１の入射平面１８ａと第２の射出平面１８ｄとに隣接する側面１９ｂを有しており、第２の入射平面１８ｂと第１の射出平面１８ｃとに隣接する側面１９ｃを有している。従って、このビーム間隔調整素子１５Ｄの底面１６Ｄは略六角形形状を有している。
【００３０】
図６（Ａ）、（Ｂ）に示すように、ビーム間隔調整素子の断面形状としては、レーザビームの経路となる領域以外の一部分が削除された形状であっても良い。このように余分な部位を削除することによって、ビーム間隔調整素子を小型化し、軽量化することが可能である。
【００３１】
これまでの説明からも理解できるように、ビーム間隔調整素子としては、互いに平行な第１と第２の光ビームが、それぞれ入射する第１と第２の入射平面と、第１と第２の入射平面にそれぞれ平行な第１と第２の射出平面とを有するとともに、第１と第２の光ビームが当該素子の内部で交差する種々の形状を採用することが可能である。
【００３２】
Ｂ．第２実施例：
図７は、本発明の第２実施例としてのモニタ装置の構成を示す概略図である。このモニタ装置２００は、装置本体２１０と、光伝送部２２０とを備えている。装置本体２１０は、光源装置１０と、集光レンズ２１１と、カメラ２１２とを備えている。
【００３３】
光源装置１０は、２つのレーザアレイ光源ユニット１１、１２と、ビーム間隔調整素子１５とを備えている。２つのレーザアレイ光源ユニット１１、１２は、第１実施例で説明した２つのレーザアレイ光源ユニット１１Ｒ、１２Ｒ、１１Ｇ、１２Ｇ、１１Ｂ、１２Ｂと同様のものであるが、色成分光ではなく白色光である第１と第２のレーザビームＬ１、Ｌ２を射出する。ビーム間隔調整素子１５は、第１実施例で説明したものと同様のものであり、第１と第２のレーザビームＬ１、Ｌ２のビーム間隔を調整する。
【００３４】
光伝送部２２０は、２つのライトガイド２２１、２２２と、拡散板２２３と、結像レンズ２２４とを備えている。２つのライトガイド２２１、２２２は、光を遠方に送るためのものであり、多数本の光ファイバを束ねることにより構成できる。第１のライトガイド２２１は、被写体を照射するための光を伝送するためのものである。第２のライトガイド２２２は、被写体からの反射光をカメラ２１２へと伝送するためのものである。拡散板２２３は、入射する光ビームを拡散して射出可能な素子である。拡散板２２３は、第１のライトガイド２２１の射出側に配置され、結像レンズ２２４は、第２のライトガイド２２２の入射側に配置されている。
【００３５】
第１のライトガイド２２１の入射側及び第２のライトガイド２２２の射出側は、装置本体２１０と連結されている。装置本体２１０には、第１のライトガイド２２１の入射側に、集光レンズ２１１とレーザ光源装置１０とが配置されている。また、装置本体２１０には、第２のライトガイド２２２の射出側にカメラ２１２が配置されている。
【００３６】
レーザ光源装置１０から射出されたレーザ光は、集光レンズ２１１で集められ、第１のライトガイド２２１を介して拡散板２２３へと入射し、拡散されて被写体を照射する。被写体からの反射光は、結像レンズ２２４に入射して、第２のライトガイド２２２を介してカメラ２１２へと送られる。このようにして、レーザ光源装置１０から射出されたレーザ光を照射光として被写体の画像をカメラ２１２で撮像することができる。
【００３７】
このモニタ装置２００に用いられているレーザ光源装置１０は、ビーム間隔調整素子１５を有しているため、２つのレーザアレイ光源ユニット１１、１２からそれぞれ射出されるレーザ光同士の間隔を狭く調整することができる。従って、集光レンズ２１１の径を小さくすることができる。また、第１のライトガイド２２１への入射角を小さくすることができるため、第１のライトガイド２２１の開口数（ＮＡ）が小さい場合でも、より確実にレーザ光を被写体側に伝達することができる。
【００３８】
Ｃ．第３実施例：
図８は本発明の第３実施例としての照明装置の構成を示す概略図である。この照明装置３００は、レーザ光源装置１０Ａと拡散素子３１０とを備えている。レーザ光源装置１０Ａは、２つのレーザアレイ光源ユニット１１、１２と、ビーム間隔調整素子１５Ｅとを備えている。２つのレーザアレイ光源ユニット１１、１２は、第２実施例で説明したものと同じである。
【００３９】
ビーム間隔調整素子１５Ｄは、２つのレーザアレイ光源ユニット１１、１２のそれぞれから射出される第１と第２のレーザビームＬ１、Ｌ２の間隔に対して十分に大きいサイズを有しており、２つのレーザビームＬ１、Ｌ２は、そのビーム間隔が大きくなるように射出される。具体的には、ビーム間隔調整素子１５Ｄの底面が正方形又は菱形の場合には、入射する２つのレーザビームＬ１、Ｌ２の交点Ｐが、ビーム間隔調整素子１５Ｄの底面の中心Ｏより入射側に存在すれば、ビーム間隔は大きくなる。
【００４０】
２つのレーザアレイ光源ユニット１１、１２から射出されたレーザビームＬ１、Ｌ２は、ビーム間隔調整素子１５Ｄによってそのビーム間隔を大きくされて拡散素子３１０に入射し、拡散素子３１０によって拡散された照明光として射出される。このように、この光源装置１０Ａを用いれば、２つのレーザアレイ光源ユニット１１、１２のサイズに比して広い範囲を照射することができる照明装置を構成することができる。
【００４１】
Ｄ．変形例：
なお、この発明は上記の実施例や実施形態に限られるものではなく、その要旨を逸脱しない範囲において種々の態様において実施することが可能であり、例えば次のような変形も可能である。
【００４２】
Ｄ１．変形例１：
上記実施例において、光源としてレーザビームを射出するレーザアレイ光源ユニットを用いていたが、光源としては、他の光ビームを射出する光源ユニット（例えば発光ダイオードユニット）を用いても良い。また、上記実施例において、光源ユニットを２つ積層して用いていたが、光源ユニットは１つであっても良い。光源ユニットとしては、少なくとも２本以上の平行な光ビームが射出されるものを採用すればよい。
【００４３】
Ｄ２．変形例２：
上記第１実施例及び第２実施例において、ビーム間隔調整素子によって、第１と第２のレーザビームの間隔を小さくしていたが、間隔を大きくするものとしても良い。また、上記第３実施例において、ビーム間隔調整素子によって、第１と第２のレーザビームの間隔を大きくしていたが、間隔を小さくするものとしても良い。
【００４４】
Ｄ３．変形例３：
上記実施例において、１つの光源装置に対して１つのビーム間隔調整素子を用いていたが、２つ以上の複数のビーム間隔調整素子が用いられるものとしても良い。
【図面の簡単な説明】
【００４５】
【図１】第１実施例としての投写型表示装置の構成を示す概略図。
【図２】レーザアレイ光源ユニットを説明するための説明図。
【図３】ビーム間隔調整素子を説明するための説明図。
【図４】液晶パネルを説明するための説明図。
【図５】ビーム間隔調整素子の断面形状を説明するための説明図。
【図６】ビーム間隔調整素子の断面形状を説明するための説明図。
【図７】第２実施例としてのモニタ装置の構成を示す概略図。
【図８】第３実施例としての照明装置の構成を示す概略図。
【符号の説明】
【００４６】
１０、１０Ａ、１０Ｒ、１０Ｇ、１０Ｂ…レーザ光源装置
１１、１１Ｒ、１１Ｇ、１１Ｂ…レーザアレイ光源ユニット
１５、１５Ａ〜１５Ｅ…ビーム間隔調整素子
１６、１６Ａ〜１６Ｄ…底面
１７…レーザビーム射出孔
１８ａ…第１の入射平面
１８ｂ…第２の入射平面
１８ｃ…第１の射出平面
１８ｄ…第２の射出平面
１９ａ〜１９ｃ…側面
２０…拡散素子
３０…凸レンズ
４０Ｒ、４０Ｇ、４０Ｂ…液晶パネル
４２…光入射平面
４４…照明領域
５０…クロスダイクロイックプリズム
６０…投写レンズ
１００…投写型表示装置
１１０…投写スクリーン
２００…モニタ装置
２１０…装置本体
２１１…集光レンズ
２１２…カメラ
２２０…光伝送部
２２１…ライトガイド
２２１…第１のライトガイド
２２２…第２のライトガイド
２２３…拡散板
２２４…結像レンズ
３００…照明装置
３１０…拡散素子
ＢＤ、ＢＤａ…ビーム間隔
Ｌ１、ＬＲ１、ＬＧ１、ＬＢ１…第１のレーザビーム
Ｌ２、ＬＲ１、ＬＧ１、ＬＢ１…第２のレーザビーム
ＬＲ１ａ、ＬＧ１ａ、ＬＢ１ａ…第１のレーザビーム（射出後）
ＬＲ１ａ、ＬＧ１a、ＬＢ１ａ…第２のレーザビーム（射出後）
Ｏ…中心
Ｐ…交点
ＰＸ…画素
【図１】
2008261899.tif 000003
【図２】
2008261899.tif 000004
【図３】
2008261899.tif 000005
【図４】
2008261899.tif 000006
【図５】
2008261899.tif 000007
【図６】
2008261899.tif 000008
【図７】
2008261899.tif 000009
【図８】
2008261899.tif 000010